(57)【要約】      （修正有）【課題】ジャックに抜き差しする際などにタッチノイズが生じることを防止できるプラグ及びプラグアダプターを提供する。【解決手段】ジャックに差し込まれて接続されるプラグ１は、同軸ケーブル２の端部が挿通される筒状キャップ６と、筒状キャップに螺合により一体化されるプラグ本体と、プラグ本体が有する胴体部７の前端側から突出するスリーブ端子１１と、スリーブ端子の先端に絶縁体１２を介して設けられたチップ端子１３と、スリーブ端子に摺動自在に外嵌された接続リング５と、接続リングを胴体部から離反する方向へ付勢するスプリング１４とを備える。また、胴体部の後端側にチップ端子と電気的に繋がった接点部９ａが配設されると共に、スリーブ端子の外周面を摺動する接続リングに接点部と接離可能な爪部５ｃを有する鉤状片５ｂが設けられる。【選択図】図２
0003220114.tif 000002
【実用新案登録請求の範囲】
【請求項１】
音響機器に設けられたジャックに差し込まれて接続されるプラグであって、
同軸ケーブルの端部が挿通される筒状キャップと、前記筒状キャップに螺合により一体化されるプラグ本体と、前記プラグ本体が有する胴体部の一端側から突出するスリーブ端子と、前記スリーブ端子の先端に絶縁体を介して設けられたチップ端子と、前記スリーブ端子に摺動自在に外嵌された接続リングと、前記接続リングを前記胴体部から離反する方向へ付勢するスプリングとを備え、
前記胴体部の他端側に前記チップ端子と電気的に繋がった接点部が配設されていると共に、前記接続リングに前記接点部と接離可能な爪部を有する鉤状片が設けられていることを特徴とするプラグ。
【請求項２】
請求項１に記載のプラグにおいて、
前記鉤状片が前記接続リングの周方向に沿った異なる位置に複数設けられていることを特徴とするプラグ。
【請求項３】
請求項1または２に記載のプラグにおいて、
前記胴体部の外周面に前記スリーブ端子の軸線方向に延びる溝部が形成されており、前記鉤状片が前記溝部内に配置されていることを特徴とするプラグ。
【請求項４】
請求項３に記載のプラグにおいて、
前記胴体部の外周面に前記筒状キャップが螺合されるネジ部が刻設されており、前記溝部は前記ネジ部の一部を横断するように形成されていることを特徴とするプラグ。
【請求項５】
請求項４に記載のプラグにおいて、
前記胴体部の外周面に前記鉤状片の一部を包囲する装飾リングが固着されており、前記筒状キャップは前記装飾リングから露出する前記ネジ部に螺合されることを特徴とするプラグ。
【請求項６】
音響機器に設けられたジャックに差し込まれて接続されるプラグであって、
同軸ケーブルの端部に接続されるプラグ本体と、前記プラグ本体に設けられたピン状のスリーブ端子と、前記スリーブ端子の先端に絶縁体を介して設けられたチップ端子と、前記スリーブ端子に常時接続すると共に前記チップ端子の接点部に対して接離可能な接続リングと、前記接続リングを前記スリーブ端子の先端側へ付勢するスプリングとを備え、
プラグをジャックから抜き出した際には、前記接続リングが前記スプリングの弾発力を受けて前記接点部と接触する位置に移動し、プラグをジャックに差し込んだ際には、前記接続リングが前記スプリングの弾発力に抗して前記接点部から離れる位置に移動することを特徴とするプラグ。
【請求項７】
同軸ケーブルの端部に接続されたプラグに連結されて使用され、音響機器に設けられたジャックに差し込まれて接続されるプラグアダプターであって、
前記プラグが差し込まれるプラグ本体と、前記プラグ本体が有する胴体部の一端側から突出するスリーブ端子と、前記スリーブ端子の先端に絶縁体を介して設けられたチップ端子と、前記スリーブ端子に摺動自在に外嵌された接続リングと、前記接続リングを前記胴体部から離反する方向へ付勢するスプリングとを備え、
前記胴体部の他端側の中心位置に前記チップ端子と電気的に繋がった接点部が配設されていると共に、前記接続リングに前記接点部と接離可能な爪部を有する鉤状片が設けられていることを特徴とするプラグアダプター。
【考案の詳細な説明】
【技術分野】
【０００１】
本考案は、音響機器に設けられたジャックに差し込まれて接続されるプラグと、通常のプラグに連結されて使用されるプラグアダプターに関する。
【背景技術】
【０００２】
エレキギターとアンプ等の音響機器相互の電気的接続手段として用いられる同軸ケーブル用プラグは、同軸ケーブルの端部に接続されるプラグ本体にピン状のスリーブ端子を設け、このスリーブ端子の先端に絶縁体を介してチップ端子を設けている（例えば、特許文献１参照）。そして、このような構成のプラグを音響機器に設けられたジャックに差し込むと、ジャックに設けられたホット端子にチップ端子が接続されると共に、ジャックに設けられたアース端子にスリーブ端子が接続されることにより、ハムノイズの発生が抑えられるようになっている。
【先行技術文献】
【特許文献】
【０００３】
【特許文献１】登録実用新案第３１８９７１４号公報
【考案の概要】
【考案が解決しようとする課題】
【０００４】
しかし、特許文献１などに開示された従来構造では、プラグをジャックに差し込んだり抜き出す途中などにおいて、チップ端子が他の部分に接触してタッチノイズを生じさせるという問題があった。
【０００５】
本考案は、このような従来技術の実情に鑑みてなされたもので、第１の目的は、ジャックに抜き差しする際などにタッチノイズが生じることを防止できるプラグを提供することにあり、第２の目的は、そのようなプラグアダプターを提供することにある。
【課題を解決するための手段】
【０００６】
上記第１の目的を解決するために、本考案によるプラグは、音響機器に設けられたジャックに差し込まれて接続されるプラグであって、同軸ケーブルの端部が挿通される筒状キャップと、前記筒状キャップに螺合により一体化されるプラグ本体と、前記プラグ本体が有する胴体部の一端側から突出するスリーブ端子と、前記スリーブ端子の先端に絶縁体を介して設けられたチップ端子と、前記スリーブ端子に摺動自在に外嵌された接続リングと、前記接続リングを前記胴体部から離反する方向へ付勢するスプリングとを備え、前記胴体部の他端側に前記チップ端子と電気的に繋がった接点部が配設されていると共に、前記接続リングに前記接点部と接離可能な爪部を有する鉤状片が設けられていることを特徴とする。
【０００７】
このように構成されたプラグでは、音響機器側のジャックにプラグを差し込んだり抜き出したりする途中や、プラグをジャックから完全に抜き取って解放状態にした際には、スプリングの弾性力を受けて接続リングの爪部が接点部に接触することにより、チップ端子とスリーブ端子が短絡した状態となっているため、チップ端子が他の部分に接触してもタッチノイズが生じることはなくなる。そして、プラグがジャックに正常に差し込まれると、接続リングが押圧されてスリーブ端子の基端側へ移動することにより、接続リングの爪部が接点部から離反してチップ端子とスリーブ端子の短絡が解除されるため、チップ端子とスリーブ端子は正常な導通状態となる。
【０００８】
上記構成のプラグにおいて、鉤状片の数は１つでも良いが、鉤状片が接続リングの周方向に沿った異なる位置に複数設けられていると、接続リングを胴体部の軸線方向に沿ってスムーズに移動させることができると共に、鉤状片の爪部を接点部に確実に接触させることができる。
【０００９】
また、上記構成のプラグにおいて、胴体部の外周面にスリーブ端子の軸線方向に延びる溝部が形成されており、この溝部内に鉤状片が配置されていると、接続リングが胴体部の周方向に回転してしまうことを防止できるため、鉤状片の爪部と接点部との接続信頼性が向上する。
【００１０】
この場合において、胴体部の外周面に筒状キャップが螺合されるネジ部が刻設されており、このネジ部の一部を横断するように溝部が形成されていると、鉤状片が溝部の底面と筒状キャップの内周面との間に挟持されるため、鉤状片の変形を防止することができる。
【００１１】
また、この場合において、胴体部の外周面に鉤状片の一部を包囲する装飾リングが固着されており、この装飾リングから露出するネジ部に筒状キャップが螺合されるようになっていると、筒状キャップをプラグ本体から取り外した状態においても、装飾リングによって鉤状片の脱落を確実に防止することができる。
【００１２】
また、上記第１の目的を解決する他の手段として、本考案によるプラグは、音響機器に設けられたジャックに差し込まれて接続されるプラグであって、同軸ケーブルの端部に接続されるプラグ本体と、前記プラグ本体に設けられたピン状のスリーブ端子と、前記スリーブ端子の先端に絶縁体を介して設けられたチップ端子と、前記スリーブ端子に常時接続すると共に前記チップ端子の接点部に対して接離可能な接続リングと、前記接続リングを前記スリーブ端子の先端側へ付勢するスプリングとを備え、プラグをジャックから抜き出した際には、前記接続リングが前記スプリングの弾発力を受けて前記接点部と接触する位置に移動し、プラグをジャックに差し込んだ際には、前記接続リングが前記スプリングの弾発力に抗して前記接点部から離れる位置に移動することを特徴とする。
【００１３】
このように構成されたプラグでは、音響機器側のジャックにプラグを差し込んだり抜き出したりする途中や、プラグをジャックから完全に抜き取って解放状態にした際には、スプリングの弾性力を受けて接続リングが接点部に接触することにより、チップ端子とスリーブ端子が短絡した状態となっているため、チップ端子が他の部分に接触してもタッチノイズが生じることはなくなる。そして、プラグがジャックに正常に差し込まれると、接続リングが押圧されてスリーブ端子の基端側へ移動することにより、接続リングが接点部から離反してチップ端子とスリーブ端子の短絡が解除されるため、チップ端子とスリーブ端子は正常な導通状態となる。
【００１４】
上記第２の目的を解決するために、本考案によるプラグアダプターは、同軸ケーブルの端部に接続されたプラグに連結されて使用され、音響機器に設けられたジャックに差し込まれて接続されるプラグアダプターであって、前記プラグが差し込まれるプラグ本体と、前記プラグ本体が有する胴体部の一端側から突出するスリーブ端子と、前記スリーブ端子の先端に絶縁体を介して設けられたチップ端子と、前記スリーブ端子に摺動自在に外嵌された接続リングと、前記接続リングを前記胴体部から離反する方向へ付勢するスプリングとを備え、前記胴体部の他端側の中心位置に前記チップ端子と電気的に繋がった接点部が配設されていると共に、前記接続リングに前記接点部と接離可能な爪部を有する鉤状片が設けられていることを特徴とする。
【００１５】
このように構成されたプラグアダプターは、同軸ケーブルの端部に接続された通常のプラグに連結した状態で使用されるが、このプラグアダプターを音響機器側のジャックに差し込んだり抜き出したりする途中や、プラグアダプターをジャックから完全に抜き取って解放状態にした際には、スプリングの弾性力を受けて接続リングの爪部が接点部に接触することにより、チップ端子とスリーブ端子が短絡した状態となっているため、チップ端子が他の部分に接触してもタッチノイズが生じることはなくなる。そして、プラグアダプターがジャックに正常に差し込まれると、接続リングが押圧されてスリーブ端子の基端側へ移動することにより、接続リングの爪部が接点部から離反してチップ端子とスリーブ端子の短絡が解除されるため、チップ端子とスリーブ端子は正常な導通状態となる。
【考案の効果】
【００１６】
本考案のプラグによれば、ジャックに抜き差しする際などにタッチノイズが生じることを防止できる。
【００１７】
また、本考案のプラグアダプターによれば、タッチノイズの防止手段が講じられていない通常のプラグであっても、当該プラグに連結して使用することにより、ジャックに抜き差しする際などにタッチノイズが生じることを防止できる。
【図面の簡単な説明】
【００１８】
【図１】本考案の実施形態に係るプラグの正面図である。
【図２】上記プラグの内部構造を示す部分断面図である。
【図３】上記プラグに備えられるプラグ本体の正面図である。
【図４】上記プラグに備えられる接続リングを示し、（ａ）は正面図、（ｂ）は平面図、（ｃ）は側面図、（ｄ）は（ｃ）のＡ−Ａ線に沿う断面図である。
【図５】上記プラグに備えられる接点部と接続リングの爪部との配置関係を示す説明図である。
【図６】上記プラグをジャックに差し込んだ状態を示す説明図である。
【図７】本考案の実施形態に係るプラグアダプターの内部構造を示す部分断面図である。
【考案を実施するための形態】
【００１９】
以下、本考案の実施の形態を図面を参照して説明すると、図１は本考案の実施形態に係るプラグの外観図、図２は上記プラグの内部構造を示す部分断面図、図３は上記プラグの要部を示す説明図である。
【００２０】
本実施形態に係るプラグ１は、エレキギターとアンプ等の音響機器相互の電気的接続手段として用いられる同軸ケーブル用プラグであり、図１〜図３に示すように、同軸ケーブル２の端部に接続されるプラグ本体３と、プラグ本体３の前部側に突出するプラグ端子４と、プラグ端子４に摺動自在に外嵌された接続リング５と、プラグ本体３の後部側に一体化された筒状キャップ６とを備えている。
【００２１】
プラグ本体３は胴体部７を有しており、この胴体部７の外周面の後段側にはネジ部７ａが刻設されている。胴体部７の外周面にはネジ部７ａの一部を横断するように延びる溝部７ｂが形成されており、この溝部７ｂは胴体部７の１８０度対向する２箇所に形成されている。また、胴体部７の外周面の前段側には装飾リング８がかしめ等により固着されており、この装飾リング８は胴体部７から前方へ突出している。
【００２２】
プラグ本体３は胴体部７の後方へ突出する第１ターミナル端子９と第２ターミナル端子１０を有しており、図２に示すように、同軸ケーブル２の内部導体２ａが第１ターミナル端子９に接続されると共に、同軸ケーブル２の外部導体２ｂが第２ターミナル端子１０に接続されている。これら第１ターミナル端子９と第２ターミナル端子１０および同軸ケーブル２の端部は筒状キャップ６の内部に収納されており、筒状キャップ６は胴体部７のネジ部７ａに螺合することによりプラグ本体３に取り付けられている。
【００２３】
プラグ端子４は、プラグ本体３の胴体部７から前方へ突出するピン状のスリーブ端子１１と、このスリーブ端子１１の先端に絶縁体１２を介して固着されたチップ端子１３とからなる。スリーブ端子１１は第２ターミナル端子１０と電気的に接続されており、チップ端子１３は第１ターミナル端子９と電気的に接続されている。
【００２４】
図４は接続リング５を示す図であり、（ａ）は正面図、（ｂ）は平面図、（ｃ）は側面図、（ｄ）は（ｃ）のＡ−Ａ線に沿う断面図である。図４に示すように、この接続リング５は、スリーブ端子１１の外周面に摺動自在に嵌合される円筒部５ａと、円筒部５ａの１８０度対向する２箇所から後方へ延びる一対の鉤状片５ｂとを有しており、鉤状片５ｂの先端側は内方へ直角に折り曲げられて爪部５ｃとなっている。接続リング５は導電性の金属材料からなり、円筒部５ａがスリーブ端子１１の外周面に摺接しているため、接続リング５とスリーブ端子１１は常に導通状態となっている。
【００２５】
図２と図３に示すように、接続リング５の鉤状片５ｂは胴体部７の対応する溝部７ｂ内に配置されており、円筒部５ａと胴体部７との間にはスプリング１４が介設されている。接続リング５は、このスプリング１４の弾性力によって胴体部７から離反する方向（すなわち、装飾リング８から前方へ突出する方向）に付勢されており、鉤状片５ｂの爪部５ｃが後述する第１ターミナル端子９の接点部９ａと当接することにより、装飾リング８からの突出量が規定されるようになっている。
【００２６】
図５はこの接点部９ａと接続リング５の爪部５ｃとの配置関係を示す説明図である。図５に示すように、接点部９ａは胴体部７の後端側の中心位置に配設されており、この接点部９ａは環状の絶縁体１５によって胴体部７と絶縁されている。図５には図示省略されているが、接点部９ａには第１ターミナル端子９が一体形成されており、胴体部７の内周側に第２ターミナル端子１０が設けられている。鉤状片５ｂの先端に形成された爪部５ｃは接点部９ａと平面的にオーバーラップする長さに設定されており、接続リング５がスリーブ端子１１の軸線方向に沿って前後方向へ移動することに伴って、爪部５ｃは接点部９ａに対して接離する。その際、一対の鉤状片５ｂが胴体部７の対応する溝部７ｂ内に配置されているため、接続リング５は胴体部７の軸線方向に沿ってスムーズに移動することができ、接続リング５が胴体部７の周方向に不用意に回転してしまうこともない。
【００２７】
図６は、本実施形態に係るプラグ１をジャック１６に差し込んだ状態を示す説明図である。図６に示すように、エレキギター等の音響機器に設けられたジャック１６は、ホット端子に導通する弾性係止片１７と、アース端子に導通する案内筒体１８とを有している。そして、プラグ本体３のプラグ端子４がジャック１６に差し込まれると、プラグ端子４の先端側のチップ端子１３が弾性係止片１７に接触してホット端子と導通すると共に、スリーブ端子１１が案内筒体１８に接触してアース端子と導通する。この時、接続リング５の先端がジャック１６に当接して押圧されることにより、接続リング５がスプリング１４の弾性力に抗して装飾リング８の内部に没入した位置に移動するため、接続リング５の爪部５ｃが接点部９ａから離反する。これにより、スリーブ端子１１とチップ端子１３の短絡（ショート）が解除されるため、プラグ１とジャック１６はショートがなくなって正常な導通状態となる。
【００２８】
一方、プラグ１をジャック１６に差し込む前の解放状態にした場合や、プラグ１をジャック１６から抜き出したりする途中においては、接続リング５は何ら押圧されることがないので、図２に示すように、接続リング５はスプリング１４の弾性力を受けて装飾リング８から突出した位置に移動し、接続リング５の爪部５ｃは接点部９ａに接触した状態となる。これにより、スリーブ端子１１とチップ端子１３が短絡した状態となるため、チップ端子１３が他の部分に接触したとても、タッチノイズが生じることはなくなる。
【００２９】
以上説明したように、本実施形態に係るプラグ１では、プラグ本体３の胴体部７の後端側にチップ端子１３と電気的に繋がった接点部９ａが配設されていると共に、スプリング１４に付勢されてスリーブ端子１１の外周面を摺動する接続リング５に、接点部９ａと接離可能な爪部５ｃを有する鉤状片５ｂが設けられているため、音響機器側のジャック１６にプラグ１を差し込んだり抜き出したりする途中や、プラグ１をジャック１６から完全に抜き取って解放状態にした際には、スプリング１４の弾性力を受けて接続リング５の爪部５ｃが接点部９ａに接触することにより、チップ端子１３とスリーブ端子１１が短絡状態となり、チップ端子１３が他の部分に接触してもタッチノイズは生じなくなる。そして、プラグ１がジャック１６に正常に差し込まれると、接続リング５が押圧されてスリーブ端子１１の基端側へ移動することにより、接続リング５の爪部５ｃが接点部９ａから離反してチップ端子１３とスリーブ端子１１の短絡が解除されるため、チップ端子１３とスリーブ端子１１は正常な導通状態となる。
【００３０】
また、本実施形態に係るプラグ１では、一対の鉤状片５ｂを接続リング５の１８０度対向する位置に設け、これら鉤状片５ｂの先端に形成された爪部５ｃが接点部９ａと接離可能となっているため、接続リング５を胴体部７の軸線方向に沿ってスムーズに移動させることができると共に、爪部５ｃを接点部９ａに対して確実に接触させることができる。なお、爪部５ｃを有する鉤状片５ｂの数は２以上であっても良く、例えば、３つの鉤状片５ｂを接続リング５の周方向に１２０度の等間隔をおいて設けることも可能である。
【００３１】
また、本実施形態に係るプラグ１では、胴体部７の外周面にスリーブ端子１１の軸線方向に延びる溝部７ｂが形成されており、この溝部７ｂ内に接続リング５の鉤状片５ｂが配置されているため、接続リング５が胴体部７の周方向に回転してしまうことが防止され、鉤状片５ｂの爪部５ｃと接点部９ａとの接続信頼性を高めることができる。しかも、胴体部７の外周面に筒状キャップ６が螺合されるネジ部７ａが刻設されており、このネジ部７ａの一部を横断するように溝部７ｂが形成されているため、筒状キャップ６をプラグ本体３に螺合して一体化すると、鉤状片５ｂが溝部７ｂの底面と筒状キャップ６の内周面との間に挟持された状態となり、鉤状片５ｂの変形を防止することができる。
【００３２】
また、本実施形態に係るプラグ１では、胴体部７の外周面に鉤状片５ｂの一部を包囲する装飾リング８が固着されており、この装飾リング８から露出するネジ部７ａに筒状キャップ６が螺合されるようになっているため、筒状キャップ６をプラグ本体３から取り外した状態においても、装飾リング８によって鉤状片５ｂの脱落を確実に防止することができる。
【００３３】
なお、本実施形態に係るプラグ１は、同軸ケーブル２の一端部に接続されて使用されるものであるが、同軸ケーブル２の他端部に接続されるプラグについては、本実施形態に係るプラグ１と同様の構成のものであっても良いが、チップ端子１３とスリーブ端子１１を短絡／解除する手段が講じられていない通常のプラグであっても良い。
【００３４】
図７は、本考案の実施形態に係るプラグアダプター２０の内部構造を示す部分断面図である。本実施形態に係るプラグアダプター２０は、タッチノイズの防止手段が講じられていない通常のプラグに連結して使用することにより、上記実施形態に係るプラグ１と同様に、ジャック１６に抜き差しする際などにタッチノイズが生じないようにするものである。
【００３５】
図７に示すように、本実施形態に係るプラグアダプター２０が上記実施形態に係るプラグ１と相違する点は、筒状キャップ６が通常のプラグのスリーブ端子を挿入ガイドする形状になっていて第２ターミナル端子１０の機能を兼用していることと、第１ターミナル端子９が通常のプラグのチップ端子に弾接する形状になっていることにあり、それ以外の構成は基本的に同様であるため、図１〜図６に対応する部分には同一符号を付すことで重複説明を省略することする。
【００３６】
すなわち、プラグアダプター２０の筒状キャップ６に図示せぬ通常のプラグを差し込むと、当該プラグのチップ端子が第１ターミナル端子９に弾接してプラグアダプター２０のチップ端子１３と導通されると共に、当該プラグのスリーブ端子が筒状キャップ６の内周面に摺接してプラグアダプター２０のスリーブ端子１１と導通される。
【００３７】
このようにプラグアダプター２０を通常のプラグに連結した接続状態においては、タッチノイズの防止手段が講じられていない通常のプラグが上記実施形態に係るプラグ１と同等の機能を有することになる。したがって、音響機器に設けられたジャックにプラグアダプター２０のプラグ端子４が差し込まれると、接続リング５が押圧されて接続リング５の爪部５ｃが接点部９ａから離反するため、スリーブ端子１１とチップ端子１３の短絡が解除される。
【００３８】
そして、プラグアダプター２０をジャックに差し込む前の解放状態にした場合や、プラグアダプター２０をジャック１６から抜き出したりする途中においては、接続リング５がスプリング１４の弾性力を受けて装飾リング８から突出した位置に移動し、接続リング５の爪部５ｃが接点部９ａに接触した状態となるため、スリーブ端子１１とチップ端子１３は短絡した状態となり、チップ端子１３が他の部分に接触したとても、タッチノイズが生じることはなくなる。
【００３９】
以上説明したように、本実施形態に係るプラグアダプター２０では、プラグ本体３の胴体部７の後端側にチップ端子１３と電気的に繋がった接点部９ａが配設されていると共に、スプリング１４に付勢されてスリーブ端子１１の外周面を摺動する接続リング５に、接点部９ａと接離可能な爪部５ｃを有する鉤状片５ｂが設けられているため、タッチノイズの防止手段が講じられていない通常のプラグに連結して使用すれば、前述した実施形態に係るプラグ１と同様の作用効果を奏することができる。
【００４０】
すなわち、通常のプラグに連結したプラグアダプター２０を音響機器側のジャックに差し込んだり抜き出したりする途中や、プラグアダプター２０をジャックから完全に抜き取って解放状態にした際には、スプリング１４の弾性力を受けて接続リング５の爪部５ｃが接点部９ａに接触することにより、チップ端子１３とスリーブ端子１１が短絡状態となり、チップ端子１３が他の部分に接触してもタッチノイズは生じなくなる。そして、プラグアダプター２０がジャックに正常に差し込まれると、接続リング５が押圧されてスリーブ端子１１の基端側へ移動することにより、接続リング５の爪部５ｃが接点部９ａから離反してチップ端子１３とスリーブ端子１１の短絡が解除されるため、チップ端子１３とスリーブ端子１１は正常な導通状態となる。
【００４１】
なお、本考案は前述した各実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【符号の説明】
【００４２】
１  プラグ
２  同軸ケーブル
２ａ  内部導体
２ｂ  外部導体
３  プラグ本体
４  プラグ端子
５  接続リング
５ａ  円筒部
５ｂ  鉤状片
５ｃ  爪部
６  筒状キャップ
７  胴体部
７ａ  ネジ部
７ｂ  溝部
８  装飾リング
９  第１ターミナル端子
９ａ  
１０  第２ターミナル端子
１１  スリーブ端子
１２  絶縁体
１３  チップ端子
１４  スプリング
１５  絶縁体
１６  ジャック
１７  弾性係止片
１８  案内筒体
２０  プラグアダプター
【図１】
0003220114.tif 000003
【図２】
0003220114.tif 000004
【図３】
0003220114.tif 000005
【図４】
0003220114.tif 000006
【図５】
0003220114.tif 000007
【図６】
0003220114.tif 000008
【図７】
0003220114.tif 000009